(57)【特許請求の範囲】
【請求項１】
内部光ファイバコードと外部光ファイバコードとの光学的な接続を行うための光配線ユニットであって、
前側開口部が形成され、内部光ファイバコードが収納される箱状のユニット本体と、
ユニット本体の前側開口部の左右の一方の側に設けられた回転支持部と、
回転支持部により回転可能になされ、閉時に前側開口部を閉じる片側開きのパネル部と、
パネル部に設けられ、パネル部の表面で外部光ファイバコードのコネクタが、また、パネル部の裏面で内部光ファイバコードのコネクタが接続される中継用のアダプタ部と、
パネル部の裏側であり、かつ前記アダプタ部の下側から突出し、パネル部を閉じたときにユニット本体内に位置するようになされ、前記アダプタ部にコネクタが接続される内部光ファイバコードを回転支持部側から導入して載置させる内側テーブルと、
パネル部の表側であり、かつ前記アダプタ部の下側から突出し、パネル部を閉じたときにユニット本体外に位置するようになされ、前記アダプタ部にコネクタが接続される外部光ファイバコードを回転支持部側から導入して載置させる外側テーブルと、
前記外側テーブルの前側に取り付けられて前記外側テーブルとともに移動するようになされ、前記外側テーブル上の外部光ファイバコードおよび前記コネクタを外部衝撃から保護する防護カバーと、
を備えることを特徴とする光配線ユニット。
【請求項２】
請求項１に記載の光配線ユニットにおいて、
前記内側テーブルは複数のコードクランプ部を備え、かつ前記外側テーブルは複数のコードクランプ部を備えることを特徴とする光配線ユニット。
【請求項３】
請求項１または請求項２に記載の光配線ユニットにおいて、
前記ユニット本体の内部に配置され、融着接続した内部光ファイバコードと幹線光ファイバコードとの端部を覆う融着スリーブ、および、これら内部光ファイバコードと幹線光ファイバコード、を共に収容する融着接続トレイを備えることを特徴とする光配線ユニット。
【請求項４】
請求項１または請求項２に記載の光配線ユニット、および、請求項３に記載の光配線ユニットをそれぞれ一または複数個搭載したことを特徴とする光配線盤。
【発明の詳細な説明】
【技術分野】
【０００１】
本発明は、光ファイバコード同士の接続を行うための光配線ユニット、および、この光配線ユニットをキャビネットやラック等に搭載してなる光配線盤に関する。
【０００２】
従来技術の光配線ユニットや光配線盤として、例えば、特許文献１（特開２００４−２１９８４４号公報、発明の名称「スプライスユニット」）に記載の発明が知られている。
特許文献１に記載の従来技術では、多数のコネクタを設けたコネクタパネルを箱状のユニット本体の前面側左右両端のヒンジ部を介して両開閉式に蝶着する、というものである。このような特許文献１に記載の従来技術では、コネクタパネルの裏側の配線や余長処理の作業性が良く、作業時に光ファイバコードへの負担を軽減するスプライスユニットとしている。
【先行技術文献】
【特許文献】
【０００３】
【特許文献１】特開２００４−２１９８４４号公報（段落番号［００１２］，図１）
【発明の概要】
【発明が解決しようとする課題】
【０００４】
しかしながら、上記特許文献１に記載のスプライスユニットにおいて、一方の扉に接続されているコネクタを他方の扉の接続部へ付け替えるような配線の変更を行う必要が生じたとき、中央を横切るような配線にすると、この配線が邪魔をして観音開きのコネクタパネルが開かなくなってしまう。そこで、コネクタの配線が扉のヒンジ部側から延伸されるように配線し直す必要があった。このように、両側開きのスプライスユニットは接続変更時に手間を要するという問題があった。
【０００５】
そこで、本発明は上記した問題に鑑みてなされたものであり、その目的は、接続・配線の変更時に容易に変更できるようにして、作業性をより向上させた光配線ユニット、および、この光配線ユニットを搭載する光配線盤を提供することにある。
【課題を解決するための手段】
【０００６】
本発明の請求項１に係る光配線ユニットは、
内部光ファイバコードと外部光ファイバコードとの光学的な接続を行うための光配線ユニットであって、
前側開口部が形成され、内部光ファイバコードが収納される箱状のユニット本体と、
ユニット本体の前側開口部の左右の一方の側に設けられた回転支持部と、
回転支持部により回転可能になされ、閉時に前側開口部を閉じる片側開きのパネル部と、
パネル部に設けられ、パネル部の表面で外部光ファイバコードのコネクタが、また、パネル部の裏面で内部光ファイバコードのコネクタが接続される中継用のアダプタ部と、
パネル部の裏側であり、かつ前記アダプタ部の下側から突出し、パネル部を閉じたときにユニット本体内に位置するようになされ、前記アダプタ部にコネクタが接続される内部光ファイバコードを回転支持部側から導入して載置させる内側テーブルと、
パネル部の表側であり、かつ前記アダプタ部の下側から突出し、パネル部を閉じたときにユニット本体外に位置するようになされ、前記アダプタ部にコネクタが接続される外部光ファイバコードを回転支持部側から導入して載置させる外側テーブルと、
前記外側テーブルの前側に取り付けられて前記外側テーブルとともに移動するようになされ、前記外側テーブル上の外部光ファイバコードおよび前記コネクタを外部衝撃から保護する防護カバーと、
を備えることを特徴とする。
【０００７】
また、本発明の請求項２に係る光配線ユニットは、
請求項１に記載の光配線ユニットにおいて、
前記内側テーブルは複数のコードクランプ部を備え、かつ前記外側テーブルは複数のコードクランプ部を備えることを特徴とする。
【０００８】
また、本発明の請求項３に係る光配線ユニットは、
請求項１または請求項２に記載の光配線ユニットにおいて、
前記ユニット本体の内部に配置され、融着接続した内部光ファイバコードと幹線光ファイバコードとの端部を覆う融着スリーブ、および、これら内部光ファイバコードと幹線光ファイバコード、を共に収容する融着接続トレイを備えることを特徴とする。
【０００９】
また、本発明の請求項４に係る光配線盤は、
請求項１または請求項２に記載の光配線ユニット、および、請求項３に記載の光配線ユニットをそれぞれ一または複数個搭載したことを特徴とする。
【発明の効果】
【００１２】
本発明によれば、接続・配線の変更時に容易に変更できるようにして、作業性をより向上させた光配線ユニット、および、この光配線ユニットを搭載する光配線盤を提供することができる。
【図面の簡単な説明】
【００１３】
【図１】本発明を実施するための形態の光配線ユニットの正面図である。
【図２】本発明を実施するための形態の光配線ユニットの平面図である。
【図３】本発明を実施するための形態の光配線ユニットの側面から見た図であり、図３（ａ）は右側面図、図３（ｂ）は内側面図である。
【図４】本発明を実施するための形態の光配線ユニットの防護カバーを取り去った図である。
【図５】光配線ユニットのパネル部を開いた状態の説明図である。
【図６】光配線ユニットの実際の配線状態を説明する説明図である。
【図７】本発明を実施するための他の形態の光配線ユニットの平面図である。
【図８】本発明を実施するための他の形態の光配線ユニットの内側面図である。
【図９】他の形態の光配線ユニットのパネル部を開いた状態の説明図である。
【図１０】光配線ユニットの実際の配線状態を説明する説明図である。
【図１１】光配線盤の説明図である。
【図１２】光配線盤に搭載される光配線ユニットの説明図であり、図１２（ａ）は融着接続トレイを搭載する光配線ユニットの平面図、図１２（ｂ）は融着接続トレイを搭載しない光配線ユニットの平面図である。
【発明を実施するための形態】
【００１４】
続いて、本発明を実施するための形態の光配線ユニットについて図を参照しつつ以下に説明する。本形態の光配線ユニット１００は、図１の正面図、図２の平面図、図３の側面図、図４の防護カバーを取り去った図で示すように、ユニット本体１０、回転支持部２０（図２参照）、パネル部３０（図２，図３，図４参照）、内側テーブル４０（図２，図３参照）、外側テーブル５０（図２，図３参照）、防護カバー６０（図１，図２，図３参照）を備えている。
【００１５】
ユニット本体１０は、図１，図２で示すように、立方体状の堅牢なフレーム１１が構築されており、このフレーム１１に、底面板１２、左側面板１３、右側面板１４および背面板１５が固着されており、換言すれば、前面と天上面とをなくし、前側開口部が形成された箱体となっている。ユニット本体１０は、特に内部光ファイバコード１を引き込む挿通孔１６が設けられている。本形態では、図３（ａ）で示すように、右側面板１４の下側に設けられている。なお、挿通孔１６は右側面板１４ではなく、左側面板１３や背面板１５に設けても良い。挿通孔１６の位置は実状に応じて適宜選択のうえ設計される。
【００１６】
回転支持部２０は、ユニット本体１０の前側開口部の左右の一方の側に設けられるものであり、本形態では左側面板１３付近のフレーム１１に設けられている。回転支持部２０は、例えば、蝶番やヒンジ体などである。このような回転支持部２０によりパネル部３０を手前側へ開けるように回転可能に支持する。なお、図示しないが右側に回転支持部２０を設けた構造としても良い。
【００１７】
パネル部３０は、図４で示すように、例えばＳＣアダプタなどであるアダプタ３１ａをマトリクス状に配置してなるアダプタ部３１が設けられている。アダプタ部３１は、図２で示すように、パネル部３０の表側（外側）と裏側（中側）とでコネクタ２を差し込むことで、これら両コネクタ２を光学的に接続する。
【００１８】
このようなアダプタ部３１は、図４で示すように、縦に４行、横に２０列の計８０個のアダプタ３１ａがマトリクス状に配置されている。なお、縦を４行としたのは５行以上のアダプタ部を設けるとコネクタの挿抜が容易ではなくなる、また、誤って抜き取るおそれが高くなるという経験則に基づくものであり、コネクタの挿抜に支障がない範囲で最大の４行という行数に決定したものである。なお、列数については挿抜の困難性に影響はないため、可能な限り最大の列数となるように選択的に決定したものである。
【００１９】
パネル部３０を開くと、パネル部３０の表側のみならず、パネル部３０の裏側の配線や余長処理を行うことができるため、作業を容易にしている。そして特許文献１の左右両開きの従来技術では、コネクタの接続変更のため、光ファイバコードが中央開口を跨るような配線になると左右両開きのパネルは光ファイバコードが邪魔になって開けることができなくなってしまい、光ファイバコードの配線位置を反対側（例えば右側から左側）へ変更する必要があったが、本発明では、全ての外部光ファイバコード３を回転支持部２０側から導入してアダプタ部３１に接続するようにしたため、パネル部３０の全てのアダプタ３１ａの何れにコネクタ２を接続変更しても内部光ファイバコード１や外部光ファイバコード３の配線の大幅な変更の必要性はないため、作業性を向上させることが可能である。
【００２０】
内側テーブル４０は、図２で示すように、パネル部３０の裏側（中側）に設けられており、集線された内部光ファイバコード１を配置する。なお、図２では例示的に一本の内部光ファイバコード１およびコネクタ２が図示されているが、実際は多数配置接続される。内側テーブル４０は複数のコードクランプ部４１を備えており、集線された内部光ファイバコード１が内側テーブル４０上で固定されている。パネル部３０を開閉すると内側テーブル４０もパネル部３０に伴って移動するため、集線された内部光ファイバコード１が絡まるような事態を防止する。また、内部光ファイバコード１に自重による負担がかからないようにして折り曲げや破損を防止する。このように内側テーブル４０の存在により、作業性を向上させている。
【００２１】
外側テーブル５０は、パネル部３０の表側（外側）に設けられており、集線された外部光ファイバコード３を配置する。なお、図２では例示的に一本の外部光ファイバコード３およびコネクタ２が図示されているが、実際は多数配置接続される。外側テーブル５０は複数のコードクランプ部５１を備えており、集線された外部光ファイバコード３が外側テーブル５０上で固定されている。パネル部３０を開閉すると外側テーブル５０もパネル部３０に伴って移動するため、集線された外部光ファイバコード３が絡まるような事態を防止する。また、外部光ファイバコード３に自重による負担がかからないようにして折り曲げや破損を防止する。このように外側テーブル５０の存在により、作業性を向上させている。
【００２２】
防護カバー６０は、図１で示すように、外側テーブル５０の前側に取り付けられており（図４も参照）、外部光ファイバコード３へ外部から衝撃力が加わる事態を防止する。なお、防護カバー６０は、外側テーブル５０に対して着脱可能に構成されており、例えば、パネル部３０の表側のアダプタ部３１に対してコネクタ２を挿抜するときに防護カバー６０を外すことで接続配線作業が容易になる。また、防護カバー６０が多数のコード配線を見えないように隠すため、美感上好ましいという利点もある。
【００２３】
そして図６で示すように、このような光配線ユニット１００（防護カバー６０を取り外した状態）においては、外側テーブル５０から引き出された多数の外部光ファイバコード３は、結束バンド４で結束され、外側に出線される。
【００２４】
このような光配線ユニット１００の配線は以下のようになる。図２に示すように、光配線ユニット１００の挿通孔１６を介して内部光ファイバコード１が引き込まれる。この内部光ファイバコード１の先端にはコネクタ２が取り付けられており、このコネクタ２がパネル部３０の裏側のアダプタ部３１に接続される。この内部光ファイバコード１はコードクランプ部４１により固定された状態で内側テーブル４０に配置される。パネル部４の表側のアダプタ部３１には、外部光ファイバコード３のコネクタ２が接続される。実際は、例えば図６で示すように、多数の外部光ファイバコード３のコネクタ２が接続される。この外部光ファイバコード３は、図２で示すように、コードクランプ部５１により固定された状態で外側テーブル５０に配置される。外部光ファイバコード３は光配線ユニット１００の外部へ引き出される。実際は結束バンド４で結束され、外側に出線される。
【００２５】
そして、図５で示すように、パネル部３０を開くと、内側テーブル４０および外側テーブル５０がともに開くため、コネクタ２付近の内部光ファイバコード１は内側テーブル４０とともに移動し、また、外部光ファイバコード３は外側テーブル５０と共に移動する。内部光ファイバコード１および外部光ファイバコード３は、いずれも回転支持部２０側から伸びているため、パネル部３０の開閉とともに折れ曲がることとなるが、過剰に折れ曲がらないように調整して配置されている。また、内側テーブル４０および外側テーブル５０から出るような光ファイバコード１は結束によりまとめられている。これにより、配線が絡まるような事態を防止している。また、コネクタ２の接続を変更したとしても、光ファイバコード１がパネル部３０とユニット本体１０とに跨るようなことはないため開閉不可能になるような事態は生じない。光配線ユニット１００はこのようなものである。
【００２６】
以上、本形態の光配線ユニット１００について説明した。このような光配線ユニット１００では、接続・配線の変更時に容易に変更できるようにして、作業性をより向上させた光配線ユニット１００とすることができる。また、パネル部３０を開閉すると、内側テーブル４０および外側テーブル５０とともに内部光ファイバコード１および外部光ファイバコード３も同じように移動するため、例えばコネクタ付近の内部光ファイバコード１および外部光ファイバコード３が自重により過剰に折れ曲がるような事態は発生しないため、コネクタ２の取り付け変更以外の配慮を不要とし、やはり作業性を向上させた光配線ユニット１００とすることができる。
【００２７】
続いて他の形態について説明する。先の形態では光配線ユニット１００内へ内部光ファイバコード１を導入する構成であったが、本形態ではさらに融着接続部を搭載するものであり、光配線ユニット２００内へ幹線ケーブル５を導入し、この幹線ケーブル５から幹線光ファイバコード６を引き出して、内部光ファイバコード１に融着接続した上でこの内部ファイバコード１の他端にコネクタ２を接続して用いる構成である。
【００２８】
光配線ユニット２００は、図７，図８で示すように、ユニット本体１０、回転支持部２０、パネル部３０、内側テーブル４０、外側テーブル５０、防護カバー６０に加え、融着接続トレイ７０を備えている。なお、光配線ユニット２００のユニット本体１０、回転支持部２０、パネル部３０、内側テーブル４０、外側テーブル５０、防護カバー６０の詳細については図１〜図６を用いて先に説明した形態と同じであるため、同じ番号を付すとともに重複する説明を省略し、相違点について詳細に説明する。
【００２９】
融着接続トレイ７０は、ユニット本体１０の中に配置される。融着接続トレイ７０は、トレイ本体７１、入力側クランプ部７２、出力側クランプ部７３、壁板部７４、スリーブ保持部７５を備えている。
【００３０】
板体であるトレイ本体７１の右奥には入力側クランプ部７２が、また、左奥には出力側クランプ部７３が設けられる。さらにトレイ本体７１の四辺にそれぞれ壁板部７４が設けられる。こられにより融着接続トレイ７０は箱状を呈している。スリーブ保持部７５は、左右ではトレイ本体７１の中央にあり、かつパネル部３０がある開口部から見ると奥側に設けられている。このスリーブ保持部７５が、幹線光ファイバコード６と内部光ファイバコード１との融着接続部を覆う融着接続スリーブ７を保持する。他は先の説明と同じであり説明を省略する。
【００３１】
このような光配線ユニット２００の配線は以下のようになる。光配線ユニット２００の挿通孔１６を介して幹線ケーブル５が引き込まれる。そして融着接続トレイ７０の入力側クランプ部７２が幹線ケーブル５を固定する。幹線ケーブル５からは多数の幹線光ファイバコード６が引き出される。幹線光ファイバコード６は、融着接続により他の内部光ファイバコード１と接続される。融着接続箇所では幹線光ファイバコード６の端部と他の内部光ファイバコード１の端部とを突き合わせ、融着接続スリーブ７により覆われた状態で固定されている。そして、この融着接続スリーブ７は、スリーブ保持部７５により融着接続トレイ７０上に保持固定されている。
【００３２】
この内部ファイバコード１の他端にはコネクタ２が取り付けられており、このコネクタ２がパネル部３０の裏側のアダプタ部３１のアダプタ３２に接続される。この内部光ファイバコード１はコードクランプ部４１により固定された状態で内側テーブル４０に配置される。パネル部４の表側のアダプタ部３１には外部光ファイバコード３のコネクタ２が接続される。この外部光ファイバコード３はコードクランプ部５１により固定された状態で外側テーブル５０に配置される。外部光ファイバコード３は光配線ユニット２００の外部へ引き出される。
【００３３】
図９で示すように、パネル部３０を開くと、内側テーブル４０および外側テーブル５０がともに開くため、コネクタ２付近の内部光ファイバコード１は内側テーブル４０とともに移動し、また、外部光ファイバコード３は外側テーブル５０と共に移動する。内部には、図８，図１０で示すように、融着接続トレイ７０が配置されている。内部光ファイバコード１および外部光ファイバコード３は、いずれも回転支持部２０側から伸びているため、パネル部３０の開閉とともに折れ曲がることとなるが、過剰に折れ曲がらないように調整して配置されている。また、内側テーブル４０および外側テーブル５０から出るような光ファイバコード１は結束によりまとめている。これにより、配線が絡まるような事態を防止している。また、コネクタ２の接続を変更したとしても、光ファイバコード１がパネル部３０とユニット本体１０とに跨るようなことはないため開閉不可能になるような事態は生じない。このように内側テーブル４０および外側テーブル５０の存在により、コネクタ２の取り付け変更以外の配慮を不要とし、作業性を向上させている。光配線ユニット２００はこのようなものである。
【００３４】
以上、本形態の光配線ユニット２００について説明した。このような光配線ユニット２００では、接続・配線の変更時に容易に変更できるようにして、作業性をより向上させた光配線ユニット２００とすることができる。また、パネル部３０を開閉すると、内側テーブル４０および外側テーブル５０とともに内部光ファイバコード１および外部光ファイバコード３も同じように移動するため、例えばコネクタ付近の内部光ファイバコード１および外部光ファイバコード３が自重により過剰に折れ曲がるような事態は発生しないため、コネクタ２の取り付け変更以外の配慮を不要とし、やはり作業性を向上させた光配線ユニット２００とすることができる。
【００３５】
続いて他の形態について説明する。本形態は光配線盤３００に関するものであり、先に説明したような形態の光配線ユニット１００や光配線ユニット２００を一個または複数個にわたり、キャビネットやラックに搭載したものである。
本形態では、一例として図１１に示すように、前扉がないラック３０１に、先に説明した光配線ユニット２００を最上部に一個、および、下側部に光配線ユニット１００を複数個（本形態では例示的に１１個）搭載した光配線盤３００である。前面開放されたラック３０１は左右両側に二個のマウント部３０２が多段にわたり設けられており、この両側のマウント部３０２によって光配線ユニット２００（図１２（ａ）参照）および光配線ユニット１００（図１２（ｂ）参照）をマウント可能にしている。
【００３６】
そして上側に光配線ユニット２００が一個設けられ、下側に光配線ユニット１００が複数個（本形態では１１個）設けられている。
図１１，図１２（ａ）で示すように、光配線ユニット２００へは外線ケーブル３０３が引き込まれる。この外線ケーブル３０３は先に図７を用いて説明した幹線ケーブル５に相当する。外線ケーブル３０３は、例えば、コード固定金具３０９により所定位置にて配線される。図１２（ａ）で示すように外線ケーブル３０３から引き出された幹線光ファイバコード３０４は融着接続スリーブ７にて内部配線コード３０５に接続される。幹線光ファイバコード３０４は先に図７を用いて説明した幹線光ファイバコード６に相当する。また、内部配線コード３０５は先に図７を用いて説明した内部光ファイバコード１に相当する。外部にはジャンパコード３０６が接続される。ジャンパコード３０６は先に図７を用いて説明した外部光ファイバコード３に相当する。ジャンパコード３０６はジャンパーリング３０８により配線される。
【００３７】
下側に配置された光配線ユニット１００へは、図１２（ｂ）で示すように、ジャンパコード３０６が引き込まれる。内部には局内コード３０７が収容されており、そのまま引き出されている。局内コード３０７は先に図２を用いて説明した内部光ファイバコード１に相当する。局内コード３０７はジャンパコード３０６が配線されるジャンパーリング３０８とは反対側に位置するジャンパーリング３０８により配線される。そして、これら光配線ユニット１００，２００では、上記したようなコネクタ２による配線作業が適宜行われる。
【００３８】
このような光配線盤３００では、コードの入れ換え作業も光配線ユニット１００，２００の全ての面で可能となっており、作業性を高いものとしている。この配線時に内側テーブル４０や外側テーブル５０に内部光ファイバコード１や外部光ファイバコード３が載置されているため、これらコードが折れ曲がるような事態が発生しないこととなり、作業性の向上に寄与する。
【００３９】
以上本発明の光配線ユニット１００，２００および光配線盤３００について説明した。特に光配線を変更するときにコードへの配慮をできだけ少なくしてコネクタの差し替えのみ行えば良く作業性を向上させている。また、パネル部を開いて作業すればパネル部の表面・裏面ともに前側からコネクタの接続作業を行うことができ、この点でも作業性を向上させている。
【産業上の利用可能性】
【００４０】
本発明は、光ファイバケーブルと光通信機器をつなぐインターフェースとして、光ケーブルの中継、光ケーブルから光コードへの変換、回線の切替・切分けなどを行う光配線盤に搭載される光配線ユニット、および、このような光配線ユニットを多数搭載する光配線盤として適用することができる。
【符号の説明】
【００４１】
１００，２００：光配線ユニット
１０：ユニット本体
１１：フレーム
１２：底面板
１３：左側面板
１４：右側面板
１５：背面板
１６：挿通部
２０：回転支持部
３０：パネル部
３１：アダプタ部
３１ａ：アダプタ
４０：内側テーブル
４１：コードクランプ部
５０：外側テーブル
５１：コードクランプ部
６０：防護カバー
７０：融着接続トレイ
７１：トレイ本体
７２：入力側クランプ部
７３：出力側クランプ部
７４：壁板部
７５：スリーブ保持部
３００：光配線盤
３０１：ラック
３０２：マウント部
３０３：外線ケーブル
３０４：幹線光ファイバコード
３０５：内部配線コード
３０６：ジャンパコード
３０７：局内コード
３０８：ジャンパーリング
３０９：コード固定金具
１：内部光ファイバコード
２：コネクタ
３：外部光ファイバコード
４：結束バンド
５：幹線ケーブル
６：幹線光ファイバコード
７：融着接続スリーブ
【図１】
0005630904.tif 000002
【図２】
0005630904.tif 000003
【図３】
0005630904.tif 000004
【図４】
0005630904.tif 000005
【図５】
0005630904.tif 000006
【図６】
0005630904.tif 000007
【図７】
0005630904.tif 000008
【図８】
0005630904.tif 000009
【図９】
0005630904.tif 000010
【図１０】
0005630904.tif 000011
【図１１】
0005630904.tif 000012
【図１２】
0005630904.tif 000013